(57)【特許請求の範囲】
【請求項１】
第１の回路と第２の回路との間を電気的に接続するための多芯同軸型コネクタであって、前記第１の回路に接続される第１の接続器と、この第１の接続器と同一の構造、形状を有して前記第２の回路に接続される第２の接続器と、これら第１の接続器及び第２の接続器を、嵌合、接続状態に保持する嵌合手段と、を含み、前記第１の接続器及び第２の接続器が嵌合、接続状態のとき、その相互接続部分が、蜂の巣状に連なって配置、形成され、その断面が６角形である複数の外殻導体と、これら複数の外殻導体それぞれの中心位置に配置された中心導体と、を備えた構造、形状を成し、前記第１の接続器及び第２の接続器それぞれが、次の各構成を有することを特徴とする多芯同軸型コネクタ。
（イ）予め定められた形状、寸法を有する板状のインシュレータ
（ロ）前記インシュレータ面上に、固定立設される金属板壁であって、その壁面とインシュレータ面が接する固定立設線の形状が、インシュレータ面上に想定される所定間隔平行２直線のうち一方の直線上の点から他方の直線へ傾斜直線で延び他方の直線上を所定寸法だけ進みそこから再び一方の直線へ逆傾斜直線で達し一方の直線上を前記所定寸法だけ進みその位置から再び他方の直線へ前記傾斜直線と同様の傾斜直線で延びることを繰り返し一方の直線へ至る形状であり、該形状の金属板壁が前記所定間隔の２倍の間隔で複数列平行に立設された連結外殻導体
（ハ）第１の接続器と第２の接続器の嵌合時に形成される６角形の外殻導体の中心位置に配置されて前記インシュレータに保持固定され、その一方の面から突出するように形成されて、嵌合、接続状態のとき、相手方と接触接続する複数の中心導体
【請求項２】
前記複数の中心導体それぞれが、音叉型の形状を成してその分岐した２本の導体が前記１つの軸に対し４５度の方向に配置され、嵌合、接続状態のとき、これら２本の導体が、相手方の２本の導体の付け根部分を挟み込んで接触接続する構造である、請求項１記載の多芯同軸型コネクタ。
【請求項３】
前記複数の中心導体それぞれが、その幅方向に２分割されてその一方に接点部が形成され、その他方には接点受け部が形成されて成り、これら接点部及び接点受け部が、前記１つの軸に対し直交する方向に配置されて、嵌合、接続状態のとき、前記接点部が相手方の接点受け部に接触接続し、前記接点受け部が前記相手方の接点部に接触接続する構造である、請求項１記載の多芯同軸型コネクタ。
【発明の詳細な説明】
【０００１】
【発明の属する技術分野】
本発明は多芯同軸型コネクタに関し、特に２つの回路の間を複数本の同軸ケーブル等で電気的に接続する多芯同軸型コネクタに属する。
【０００２】
【従来の技術】
２つの回路の間を、同軸ケーブルを用いて高周波信号の伝送を行う場合、これら２つの回路の間は、同軸コネクタによって接続される。これら２つの回路の間で伝送される高周波信号の数が多くなると、同軸ケーブル及び同軸コネクタの数も多くなって取り扱いが煩わしくなるため、多芯同軸ケーブルや多芯同軸コネクタを用いる方向にある。
このような、多芯同軸型コネクタの従来の１つの例として、同軸型コネクタを配列した形状のものを図８（ａ），（ｂ）及び図９に示す。
【０００３】
この多芯同軸型コネクタは、雄側接続部２００及び雌側接続部３００から成り、これら雄側接続部２００及び雌側接続部３００それぞれの詳細は次のとおりである。なお、これらを嵌合させて保持する、嵌合手段は省略されている。
まず、雄側接続部２００は、インシュレータ２１０と、このインシュレータ２１０に保持固定されて、その一方の面側に嵌合側が突出し、他方の面側に端子部分が突出して配列された複数の雄側同軸コネクタ２２０と、を備えて成り、これら複数の雄側同軸コネクタ２２０それぞれは、雄側中心導体２２１と、この雄側中心導体２２１の周囲に、一定の間隔を隔てて設けられた外殻導体２２２と、この外殻導体２２２の中心軸上に雄側中心導体２２１を保持固定する内部インシュレータ２２３と、を含んだ構成、構造となっている。
【０００４】
また、雌側接続部３００は、インシュレータ３１０と、このインシュレータ３１０に保持固定されて、その一方の面に嵌合側が突出し、他方の面側に端子部分が突出して配列された複数の雌側同軸コネクタ３２０と、を備えて成り、これら複数の雌側同軸コネクタ３２０それぞれは、中心部分に雄側同軸コネクタ２２０の雄側中心導体２２１が挿入される雌側中心導体３２１と、この雌側中心導体３２１の周囲に、一定の間隔を隔てて設けられ、雄側同軸コネクタ２２０の外殻導体２２２と接触接続する外殻導体３２２と、この外殻導体３２２の中心軸上に雌側中心導体３２１を保持固定する内部インシュレータ３２３と、を含んだ構成、構造となっている。
【０００５】
そして、これら雄側接続部２００及び雌側接続部３００は、図９に示すように、複数の雄側同軸コネクタ２２０及び雌側同軸コネクタ３２０の対応するもの同志が互いに嵌合して、電気的に接続される。なお、多芯同軸型コネクタの他の例として、接触子を格子状に配列したものもあり、構造は簡単になるが、静電遮蔽効果等の電気的特性は前述の例に比べ劣っている。
【０００６】
【発明が解決しようとする課題】
上述した従来の多芯同軸型コネクタは、雄側接続部２００と雌側接続部３００とから成り、雄側接続部２００には複数の雄側同軸コネクタ２２０が配列され、雌側接続部３００には複数の雌側同軸コネクタ３２０が配列されていて、嵌合、接続時にはこれら複数の雄側同軸コネクタ２２０及び雄側同軸コネクタ３２０の対応するもの同志が互いに嵌合して電気的に接続される構成、構造となっており、複数の雄側コネクタ２２０それぞれは、雄側中心導体２２１と、外殻導体２２２と、内部インシュレータ２２３とにより形成され、複数の雌側同軸コネクタ３２０それぞれは、雌側中心導体３２１と、外殻導体３２２と、内部インシュレータ３２３とにより形成されるので、雌雄別々で部品点数が多く、構造が複雑であるために、原材料費及び加工費が高くなる、という問題点があり、接触子を格子状に配列した他の例では、構造は簡単になって製造コストは安くなるものの、電気的特性に問題がある。
【０００７】
本発明の目的は、部品点数を少なくし、構造も単純化して原材料費及び加工費を含む製造コストを低減することができ、かつ電気的特性に優れた多芯同軸型コネクタを提供することにある。
【０００８】
【課題を解決するための手段】
本発明の多芯同軸型コネクタは、第１の回路と第２の回路との間を電気的に接続するための多芯同軸型コネクタであって、上記目的を達成するために、前記第１の回路に接続される第１の接続器と、この第１の接続器と同一の構造、形状を有して前記第２の回路に接続される第２の接続器と、これら第１の接続器及び第２の接続器を、嵌合、接続状態に保持する嵌合手段と、を含み、前記第１の接続器及び第２の接続器が嵌合、接続状態のとき、その相互接続部分が、蜂の巣状に連なって配置、形成され、その断面が６角形である複数の外殻導体と、これら複数の外殻導体それぞれの中心位置に配置された中心導体と、を備えた構造、形状を成し、前記第１の接続器及び第２の接続器それぞれが、次の各構成を有することを特徴とする。
（イ）予め定められた形状、寸法を有する板状のインシュレータ
（ロ）前記インシュレータ面上に、固定立設される金属板壁であって、その壁面とインシュレータ面が接する固定立設線の形状が、インシュレータ面上に想定される所定間隔平行２直線のうち一方の直線上の点から他方の直線へ傾斜直線で延び他方の直線上を所定寸法だけ進みそこから再び一方の直線へ逆傾斜直線で達し一方の直線上を前記所定寸法だけ進みその位置から再び他方の直線へ前記傾斜直線と同様の傾斜直線で延びることを繰り返し一方の直線へ至る形状であり、該形状の金属板壁が前記所定間隔の２倍の間隔で複数列平行に立設された連結外殻導体
（ハ）第１の接続器と第２の接続器の嵌合時に形成される６角形の外殻導体の中心位置に配置されて前記インシュレータに保持固定され、その一方の面から突出するように形成されて、嵌合、接続状態のとき、相手方と接触接続する複数の中心導体
【０００９】
また、前記複数の中心導体それぞれが、音叉型の形状を成してその分岐した２本の導体が前記１つの軸に対し４５度の方向に配置され、嵌合、接続状態のとき、これら２本の導体が、相手方の２本の導体の付け根部分を挟み込んで接触接続する構造であるか、その幅方向に２分割されてその一方に接点部が形成され、その他方には接点受け部が形成されて成り、これら接点部及び接点受け部が、前記１つの軸に対し直交する方向に配置されて、嵌合、接続状態のとき、前記接点部が相手方の接点受け部に接触接続し、前記接点受け部が前記相手方の接点部に接触接続する構造である、構成を有している。
【００１０】
【発明の実施の形態】
本発明の一実施の形態は、第１の回路と第２の回路との間を電気的に接続するための多芯同軸型コネクタであって、上記第１の回路に接続される第１の接続器と、この第１の接続器と同一の構造、形状を有して上記第２の回路に接続される第２の接続器と、これら第１の接続器及び第２の接続器を、嵌合、接続状態に保持する嵌合手段と、を含み、上記第１の接続器及び第２の接続器が嵌合、接続状態のとき、その相互接続部分が、蜂の巣状に連なって配置、形成され、その断面が６角形である複数の外殻導体と、これら複数の外殻導体それぞれの中心位置に配置された中心導体と、を備えた構造、形状を成し、これら第１の接続器及び第２の接続器それぞれが、次の各構成を有している。
（イ）予め定められた形状、寸法を有する板状のインシュレータ
（ロ）上記インシュレータ面上に、固定立設される金属板壁であって、その壁面とインシュレータ面が接する固定立設線の形状が、インシュレータ面上に想定される所定間隔平行２直線のうち一方の直線上の点から他方の直線へ傾斜直線で延び他方の直線上を所定寸法だけ進みそこから再び一方の直線へ逆傾斜直線で達し一方の直線上を上記所定寸法だけ進みその位置から再び他方の直線へ上記傾斜直線と同様の傾斜直線で延びることを繰り返し一方の直線へ至る形状であり、該形状の金属板壁が上記所定間隔の２倍の間隔で複数列平行に立設された連結外殻導体
（ハ）第１の接続器と第２の接続器の嵌合時に形成される６角形の外殻導体の中心位置に配置されて上記インシュレータに保持固定され、その一方の面から突出するように形成されて、嵌合、接続状態のとき、相手方と接触接続する複数の中心導体
【００１１】
このような構成、構造とすることにより、雌雄の区別がない、或いは雌雄同形の１対の（第１，第２）の接続器によって２つの回路を接続することができ、かつ、これら接続器それぞれは、インシュレータと、連結外殻導体と、複数の中心導体と、で形成されるので、部品点数は半減し、かつ構造も単純化されて、原材料費は安く加工費も低減されて、製造コストを安くすることができ、しかも、それぞれの嵌合、接続部分は中心導体と、これを囲った外殻導体とから成る同軸型となっているので、同軸コネクタに近い、良好な電気的特性を得ることができる。
【００１２】
【実施例】
次に本発明の実施例について図面を参照して説明する。
図１は本発明の第１の実施例の、雌雄同形の接続器を示す、平面図及び各方向から見た側面図、図２はこの接続器を形成する連結外殻導体の平面図及び各方向から見た側面図、図３はこの接続器を形成する中心導体の平面図及び各方向から見た側面図、図４は雌雄同形の第１の接続器及び第２の接続器の嵌合、接続前の斜視図、図５（ａ），（ｂ）は第１の接続器及び第２の接続器の嵌合、接続状態の側面図、及び接続部分の断面図である。
【００１３】
この第１の実施例は、図１に示された接続器１００を２つ使用して図４に示すように、これら２つの接続器１００を第１の接続器１００ａ及び第２の接続器１００ｂとし（雌雄の区別はない）、これらを矢印の方向（図５（ｂ）に示す対称軸に対し１８０度回転）に嵌合させて図５に示すように、嵌合、接続して、２つの回路の間を接続する多芯同軸型コネクタであって、その詳細は次のとおりである。
【００１４】
第１の接続器１００ａ及び第２の接続器１００ｂを嵌合、接続状態としたときに、その相互接続部分は、この相互接続部分内を通る１つの軸（図５（ｂ）に示された対称軸）に対し、上下対称な蜂の巣状に連なる、断面６角形の複数の外殻導体が、第１，第２の接続器１００ａ，１００ｂの連結外殻導体１２０によって配列、形成され、これら複数の外殻導体それぞれの中心位置には、第１，第２の接続器１００ａ，１００ｂの中心導体１３０が互いに接続されて配置された構造、形状となっており（図５参照）、第１の接続器１００ａ及び第２の接続器１００ｂそれぞれは、予め定められた寸法を有する四辺形板状のインシュレータ１１０と、このインシュレータ１１０に保持固定されてその一方の面から壁状に突出し、上記の複数の外殻導体を、上記の１つの軸に平行な方向に辺を共有して順次ジクザグ状につながった外殻導体の列を１単位とするグループに区分けして、これらグループそれぞれに対し、そのグループ内の外殻導体それぞれの６辺のうちの上側又は下側の、共有する辺を含む３辺を、上記の１つの軸に対称な位置にある外殻導体間では同一側となるように、かつ隣接グループ間では互いに分離されるように順次連結し、上記のグループが形成できない残りの外殻導体に対しては、その外殻導体の、上記の１つの軸に対し対称な位置にある外殻導体と同一側の３辺、及びこれに隣接する外殻導体の１辺を連結するように形成され、嵌合、接続状態のとき、相手方と接触接続する連結外殻導体１２０と、上記の複数の外殻導体それぞれの中心位置に配置されてインシュレータ１１０に保持固定され、その一方の面から突出するように形成されて、嵌合、接続状態のとき、相手方と接触接続する複数の中心導体１３０と、を備えて形成された構成となっている。
【００１５】
連結外殻導体１２０は、図２に示すように、接触接続部１２１と端子部１２２とを備えて成り、接触接続部１２１により、相手方の連結外殻導体１２０との接触接続が確実に行えるようになっている。
【００１６】
中心導体１３０は、図３に示すように、嵌合、接続側が音叉状に２本の導体に分岐されてこれら２つの導体部分に挟持接続部１３１が設けられ、これら２本の導体が上記の１つの軸に対し４５°の方向に配置されて、嵌合、接続状態のとき、これら２本の導体の挟持接続部１３１が、相手方の２本の導体の付け根部分を挟み込んで互いに接触接続する構造となっている。
【００１７】
この第１の実施例においては、第１，第２の接続器１００ａ，１００ｂそれぞれには、複数の外殻導体それぞれの６辺のうちの左側又は右側の３辺を形成する連結外殻導体１２０が設けられていて、２つの接続器１００ａ，１００ｂが嵌合、接続状態となったときに、はじめて、６角形の外殻導体が完成し、この６角形の外殻導体とその中心位置に配置された中心導体１３０とによって、１つの同軸コネクタが形成される。
【００１８】
また、この第１の実施例においては、対称軸と平行な方向に配置された複数の外殻導体に対して連結した、連結外殻導体１２０が設けられた構造となっており、その構造、形状が単純化され、かつその部材使用量も少なくなっている。
【００１９】
すなわち、この第１の実施例においては、第１，第２の接続器１００ａ，１００ｂが同一形状、同一構造であり、それぞれが、インシュレータ１１０、連結外殻導体１２０、及び複数の中心導体１３０の３種類で形成されていて、構造、形状が単純化され、部品点数も、図１〜図５のように１３接続の場合、従来例では、片方で４種類、１３×３＋１＝４０個、合計８種類８０個に対し、本発明では、片方で３種類、１３＋３＋１＝１７個、合計３種類３４個となり、従来例に対し半数以下に低減される。
【００２０】
従って、原材料費は安くなり、加工費も低減することができて、製造コストを安くすることができる。また、それぞれの接続部分は１つの同軸コネクタとなっているので、静電遮蔽効果を含む電気的特性も良好に保つことができる。
【００２１】
図６は本発明の第２の実施例の、雌雄同形の接続器を示す、平面図及び各方向から見た側面図、図７はこの接続器を形成する中心導体の平面図及び各方向から見た側面図、及びその嵌合、接続状態のときの側面図である。
【００２２】
この第２の実施例が前述の第１の実施例と相違する点は、中心導体１３０ｃの形状にあり、この中心導体１３０ｃは、図７に示すように、その幅方向に２分割されて、その一方に接点部１３３が形成され、その他方には接点受け部１３４が形成されて成り、これら接点部１３３及び接点受け部１３４が前述の１つの軸（第１の実施例における図５（ｂ）の対称軸）と同様の軸に対し直交する方向に配置されて、嵌合、接続状態のとき、接点部１３３が相手方の接点受け部１３４に接触接続し、接点受け部１３４が相手方の接点部１３３に接触接続するようになっている。
【００２３】
この第２の実施例では、中心導体１３０ｃが接触接続型であるので、第１の実施例の挟持接触型に比べ、挿抜力を小さくすることができる。なお、その他の作用効果は第１の実施例と同様である。
【００２４】
【発明の効果】
以上説明したように本発明は、互いに嵌合、接続する２つの接続器を同一構造、同一形状とし、これら接続器それぞれを、これら接続器が嵌合、接続状態のとき、その相互接続部分が、この相互接続部分内を通る１つの軸に対し、対称な蜂の巣状に連なって配置、形成され、その断面が６角形である複数の外殻導体と、これら複数の外殻導体それぞれの中心位置に配置された中心導体と、を備えた構造、形状を成すように、複数の外殻導体を形成するため、上記１つの軸に平行な方向に連なって、外殻導体の６辺のうちの左側又は右側の３辺を順次ジグザグ状につなぎ、嵌合、接続時には相手方と接触接続する連結外殻導体を設け、外殻導体それぞれの中心位置には、相手方と接触接続するような向きに配置された中心導体を設けた構成、構造とすることにより、部品点数を低減し構造を単純化することができて、原材料費及び加工費を含む製造コストを安くすることができ、かつ各接続部分を同軸型とすることができて、良好な電気的特性を得ることができる、という効果がある。
【図面の簡単な説明】
【図１】本発明の第１の実施例の、雌雄同形の接続器を示す、平面図及び各方向から見た側面図である。
【図２】図１に示された接続器を形成する連結外殻導体の平面図及び各方向から見た側面図である。
【図３】図１に示された接続器を形成する中心導体の平面図及び各方向から見た側面図である。
【図４】図１に示された接続器を２つ用いてこれらを嵌合、接続させる際の嵌合、接続前の斜視図である。
【図５】図１に示された接続器を２つ用いてこれらを嵌合、接続されたときの側面図及び接続部分の断面図である。
【図６】本発明の第２の実施例の、雌雄同形の接続器を示す、平面図及び各方向から見た側面図である。
【図７】図６に示された接続器を形成する中心導体の平面図及び各方向から見た側面図、並びに相手方との接続状態を示す側面図である。
【図８】従来の多芯同軸型コネクタの一例を示す、雄側接続器及び雌側接続器の平面図及び部分断面側面図である。
【図９】図８に示された多芯同軸型コネクタの、嵌合、接続状態を示す部分断面側面図である。
【符号の説明】
１００，１００ａ〜１００ｃ  接続器
１１０，１１０ｃ  インシュレータ
１２０  連結外殻導体
１３０，１３０ｃ  中心導体
１３１  挟持接続部
１３３  接点部
１３４  接点受け部
２００  雄側接続部
２１０  インシュレータ
２２０  雄側同軸コネクタ
３００  雌側接続部
３１０  インシュレータ
３２０  雌側同軸コネクタ
【図１】
0003735021.tif 000002
【図２】
0003735021.tif 000003
【図３】
0003735021.tif 000004
【図４】
0003735021.tif 000005
【図５】
0003735021.tif 000006
【図６】
0003735021.tif 000007
【図７】
0003735021.tif 000008
【図８】
0003735021.tif 000009
【図９】
0003735021.tif 000010